(57)【要約】  フィルタエレメントを提供する。フィルタエレメントは、入口及び出口を有するフィルタヘッドと着脱自在に係合している。フィルタエレメントは、外側ハウジングと、フィルタカートリッジと、ベースプレートとを含む。フィルタエレメントは更に、ベースプレートとフィルタヘッドとの間、並びに、ベースプレートとフィルタカートリッジとの間を封止するように適合された複数の封止材を含む。【選択図】図１
2014527464.tif 000002
【特許請求の範囲】
【請求項１】
入口及び出口を有するフィルタヘッドと着脱自在に係合するように適合されたフィルタエレメントであって、
外側ハウジングと、
前記外側ハウジング内で非着脱自在に固定されたフィルタカートリッジであって、
中央開口を画定している開放端部キャップと、
閉鎖端部キャップと、
フィルタメディアの管状リングであって、前記開放端部キャップと前記閉鎖端部キャップとの間を、且つ、長手軸の周囲を、前記長手軸に沿って軸方向に延びており、内側キャビティを画定しており、更に、前記外側ハウジングと前記フィルタメディアの外側周辺部との間に外側キャビティを画定しており、前記フィルタエレメントの入口側が前記外側キャビティを含み、前記フィルタエレメントの出口側が前記内側キャビティを含む、前記管状リングと、を有する前記フィルタカートリッジと、
一体構造を有し、前記外側ハウジング内で非着脱自在に固定されており、少なくとも１つの入口ポートを介する前記入口と前記入口側との間の流れを可能にしているベースプレートと、
前記開放端部キャップと前記ベースプレートとの間で保持されており、前記開放端部キャップを前記ベースプレートに対して封止することによって、流体が前記フィルタメディアをバイパスして前記入口側と前記出口側との間を流れることを防ぐ第１の封止材と、
前記ベースプレートによって保持されており、フィルタヘッドの第１の封止面との間を封止するように構成された第２の封止材と、
前記ベースプレートによって保持されており、フィルタヘッドの第２の封止面との間を封止するように構成された第３の封止材と、
を備えるフィルタエレメント。
【請求項２】
前記第２の封止材は、前記入口側と前記出口側との間の流体連通を阻止するように配置されており、前記第３の封止材は、前記入口側と前記外側ハウジングの外側との間の流体連通を制限するように配置されている、請求項１に記載のフィルタエレメント。
【請求項３】
前記ベースプレートと前記外側ハウジングとの間に保持されており、前記入口側と前記ハウジングの外側との間の流体連通を制限するように配置されている第４の封止材を更に備える、請求項１に記載のフィルタエレメント。
【請求項４】
前記ベースプレートは、第１の流れ開口と、少なくとも１つの入口ポートと、封止材取り付け部分と、前記フィルタヘッドと着脱自在に係合するように構成された外側取り付け部分と、前記フィルタカートリッジを前記外側ハウジング内で非着脱自在に固定するように適合された保持部分と、を備える、請求項１に記載のフィルタエレメント。
【請求項５】
前記外側ハウジングは、リップ部分を画定しており、前記リップ部分は、部分的に、前記ベースプレートに軸方向に突き当たって、前記ベースプレートを前記ハウジング内で非着脱自在に固定している、請求項１に記載のフィルタエレメント。
【請求項６】
前記少なくとも１つの入口ポートは、前記第１の流れ開口の周囲且つ半径方向外側に、間隔を置いて配置された複数の入口ポートであり、前記少なくとも１つの入口ポートは、開放されて前記外側キャビティと流体連通している、請求項４に記載のフィルタエレメント。
【請求項７】
前記外側取り付け部分は、前記フィルタヘッドとねじ係合するように適合されたねじ山付き部分を有する、請求項４に記載のフィルタエレメント。
【請求項８】
前記封止材取り付け部分は、前記開放端部キャップ及び前記閉鎖端部キャップから離れるように軸方向に延びており、前記第２の封止材を軸方向に保持し、半径方向に支持するように適合された半径方向外向き開口溝を画定している、請求項４に記載のフィルタエレメント。
【請求項９】
前記保持部分は、前記開放端部キャップに軸方向に突き当たって、前記フィルタカートリッジを前記外側ハウジング内で非着脱自在に固定している、請求項４に記載のフィルタエレメント。
【請求項１０】
前記外側取り付け部分は、前記第３の封止材を保持するように適合された内向き開口溝を画定している、請求項４に記載のフィルタエレメント。
【請求項１１】
前記開放端部キャップの前記中央開口は、軸方向依存部分と、前記軸方向依存部分に取り付けられた半径方向内向きに延びる部分とに囲まれ、これらによって、前記第１の封止材を軸方向及び半径方向に支持するように適合された階段状構成を形成している、請求項１に記載のフィルタエレメント。
【請求項１２】
前記第１の流れ開口は、環状に延びる部分に囲まれており、前記環状に延びる部分は、前記開放端部キャップの前記中央開口を貫通して軸方向に延びており、これによって、末端部が前記開放端部キャップと前記閉鎖端部キャップとの間に軸方向に位置しており、前記環状に延びる部分は、前記第１の封止材に対する軸方向封止面及び半径方向封止面を与えている、請求項４に記載のフィルタエレメント。
【請求項１３】
フィルタエレメントであって、
閉鎖端部及び開放端部と、前記閉鎖端部と前記開放端部との間を延びている側壁と、を有する外側ハウジングであって、前記側壁は前記開放端部におけるリップを画定している、前記外側ハウジングと、
前記外側ハウジング内で非着脱自在に固定されたフィルタカートリッジであって、
中央開口を有する開放端部キャップと、
閉鎖端部キャップと、
前記開放端部キャップと前記閉鎖端部キャップとの間を、且つ、長手軸の周囲を、前記長手軸に沿って延びており、内側キャビティを画定しており、更に、前記側壁とフィルタメディアの外側周辺部との間に外側キャビティを画定している当該フィルタメディアと、を有する前記フィルタカートリッジと、
前記外側ハウジング内で非着脱自在に固定された一体構造を有するベースプレートであって、
軸方向に延びる環状部分によって画定されている第１の流れ開口であって、前記内側キャビティと流体連通している前記第１の流れ開口と、
軸方向に延びる封止材取り付け部分と、
フィルタヘッドに前記フィルタエレメントを着脱自在に取り付けるように適合された外側取り付け部分であって、前記リップに軸方向に突き当たって、前記ベースプレートを前記外側ハウジング内で非着脱自在に固定している前記外側取り付け部分と、
前記外側キャビティと流体連通している少なくとも１つの入口ポートと、
前記軸方向に延びる封止材取り付け部分と前記外側取り付け部分との間にあって、前記外側ハウジング内で前記フィルタカートリッジを確実に保持している保持部分と、を画定している前記ベースプレートと、
前記開放端部キャップと前記軸方向に延びる環状部分の外側周辺面との間を封止している第１の封止材と、
前記軸方向に延びる封止材取り付け部分とフィルタヘッドの第１の封止面との間を半径方向に封止するように適合された第２の封止材と、
前記外側取り付け部分と前記フィルタヘッドの第２の封止面との間を封止するように適合された第３の封止材と、
を備えるフィルタエレメント。
【請求項１４】
前記少なくとも１つの入口ポートは、前記第１の流れ開口の周囲且つ半径方向外側に、間隔を置いて配置された複数の入口ポートである、請求項１３に記載のフィルタエレメント。
【請求項１５】
前記軸方向に延びる環状部分は、前記保持部分に従属しており、前記中央開口を貫通して軸方向に延びて、少なくとも一部分がフィルタメディアに囲まれている、請求項１３に記載のフィルタエレメント。
【請求項１６】
前記外側取り付け部分は、ねじ山が付いており、前記フィルタヘッドとねじ係合するように適合されている、請求項１３に記載のフィルタエレメント。
【請求項１７】
前記軸方向に延びる封止材取り付け部分は、前記第２の封止材を保持するように適合された半径方向外向き開口溝を画定している、請求項１３に記載のフィルタエレメント。
【請求項１８】
入口及び出口を有しており、半径方向内向きの第１の封止面と半径方向外向きの第２の封止面とを画定しているフィルタヘッドと、
前記フィルタヘッドに着脱自在に取り付けられたフィルタエレメントであって、
外側ハウジングと、
前記外側ハウジング内で非着脱自在に固定されたフィルタカートリッジであって、
開放端部キャップと、
閉鎖端部キャップと、
前記開放端部キャップと前記閉鎖端部キャップとの間を、且つ、長手軸の周囲を、前記長手軸に沿って延びているフィルタメディアであって、内側キャビティを画定しており、更に、前記外側ハウジングと前記フィルタメディアの外側周辺部との間に外側キャビティを画定している前記フィルタメディアと、を有する前記フィルタカートリッジと、
前記外側キャビティを含む入口側と、
前記内側キャビティを含む出口側と、
一体構造を有し、前記外側ハウジング内で非着脱自在に固定されており、少なくとも１つの入口ポートを介する前記入口と前記入口側との間の流れを可能にしているベースプレートと、
前記開放端部キャップと前記ベースプレートとの間で保持されて、前記ベースプレートを前記開放端部キャップに対して封止し、前記入口側と前記出口側との間のバイパスを阻止している第１の封止材と、
前記ベースプレートと前記フィルタヘッドの前記第１の封止面との間で保持されている第２の封止材と、
前記ベースプレートと前記フィルタヘッドの前記第２の封止面との間に保持されている第３の封止材と、を更に有する前記フィルタエレメントと、を備え、
前記第１及び第２の封止材は、前記入口側と前記出口側との間の流体連通を制限するように配置されており、前記第３の封止材は、前記入口側と前記外側ハウジングの外側との間の流体連通を制限するように配置されている、
フィルタ。
【請求項１９】
前記ベースプレートと前記外側ハウジングとの間に保持されて、前記入口側と前記ハウジングの外側との間の流体連通を制限するように配置されている第４の封止材を更に備える、請求項１８に記載のフィルタ。
【請求項２０】
前記ベースプレートは、第１の流れ開口と、少なくとも１つの入口ポートと、封止材取り付け部分と、前記フィルタヘッドと着脱自在に係合する外側取り付け部分と、前記フィルタカートリッジを前記外側ハウジング内で非着脱自在に固定するように適合された保持部分と、を備える、請求項１８に記載のフィルタ。
【請求項２１】
前記外側ハウジングは、半径方向外向き突出部分及びリップ部分を画定しており、前記半径方向外向き突出部分及び前記リップ部分は、前記ベースプレートの外側周辺面を部分的に包むことにより、前記ベースプレートを前記ハウジング内で非着脱自在に固定している、請求項１８に記載のフィルタ。
【請求項２２】
前記少なくとも１つの入口ポートは、前記第１の流れ開口の周囲且つ半径方向外側に、間隔を置いて配置された複数の入口ポートである、請求項１８に記載のフィルタ。
【請求項２３】
前記外側取り付け部分は、前記フィルタヘッドとねじ係合するねじ山付き部分を有する、請求項２０に記載のフィルタ。
【発明の詳細な説明】
【技術分野】
【０００１】
本発明は、主に液体フィルタ構成に関し、より具体的には、交換可能な液体濾過エレメントに関する。
【背景技術】
【０００２】
油などの潤滑流体のような流体を利用するシステムは、多くの場合、フィルタの使用を必要とする。フィルタは、それらの流体から汚染物質や不純物を除去することに適合されている。多くの場合、フィルタエレメントは、定期点検時に容易に交換できるように構成されていることが望ましい。フィルタの交換可能部分は、交換不可能部分との間を封止しなければならない。従って、流体がフィルタエレメントのフィルタメディアをバイパスしないように、封止材が適切に配置される。流体がフィルタメディアをバイパスすることが可能になってしまうと、流体は濾過されず、フィルタエレメントは用をなさなくなる。
【０００３】
本発明は、フィルタ及びフィルタエレメントに関する技術の現状に対する改良を与えるものである。
【発明の概要】
【課題を解決するための手段】
【０００４】
一態様では、本発明は、フィルタエレメントを提供する。フィルタエレメントは、入口及び出口を有するフィルタヘッドと着脱自在に係合するように適合されている。フィルタエレメントは、前記入口と流体連通している入口側と、前記出口と流体連通している出口側とを有する。フィルタエレメントは、外側ハウジングと、フィルタカートリッジと、一体構造を有するベースプレートとを含む。フィルタカートリッジは、閉鎖端部キャップと、中央開口を有する開放端部キャップと、閉鎖端部キャップと開放端部キャップとの間を延びるフィルタメディアと、を含む。フィルタメディアは、長手軸に沿って長手軸の周囲に配置されて、内側キャビティを画定している。フィルタメディアの外側周辺面と外側ハウジングとの間に外側キャビティが画定されている。入口側は、外側キャビティを含み、出口側は、内側キャビティを含む。ベースプレート及びフィルタカートリッジは、外側ハウジング内で非着脱自在に固定されている。
【０００５】
フィルタエレメントは更に、開放端部キャップとベースプレートとの間を封止する第１の封止材と、ベースプレートとフィルタヘッドの第１の封止面との間を封止するように適合された第２の封止材と、を含む。従って、第１及び第２の封止材は、フィルタエレメントがフィルタヘッドに取り付けられたときに入口側と出口側との間の流体連通を制限するように配置されている。
【０００６】
フィルタエレメントは更に、ベースプレートとフィルタヘッドの第２の封止面との間を封止するように適合された第３の封止材を含む。第３の封止材は、フィルタエレメントがフィルタヘッドに取り付けられたときに入口側と外側ハウジングの外側との間の流体連通を制限するように適合されている。
【０００７】
好ましい一実施形態では、フィルタエレメントは更に、ベースプレートと外側ハウジングとの間に保持された第４の封止材を含む。第４の封止材は、入口側とハウジングの外側との間の流体連通を制限するように配置されている。
【０００８】
ベースプレートは、流れ開口と、少なくとも１つの入口ポートとを画定している。好ましくは、流れ開口は、開口端部キャップの中央開口を貫通して軸方向に延びている。流れ開口の外側周辺面が、第１の封止材に対する封止面を与えている。又、好ましくは、少なくとも１つの入口ポートは、複数の入口ポートである。入口ポートは、流れ開口の周囲且つ半径方向外側に、間隔を置いて配置されている。好ましくは、入口ポートは、外側キャビティと流体連通しており、外側キャビティとともに入口側を画定している。流れ開口は、内側キャビティと流体連通しており、内側キャビティとともに出口側を画定している。
【０００９】
ベースプレートは更に、封止材取り付け部分及び外側取り付け部分を画定している。好ましい一実施形態では、封止材取り付け部分は、開放端部キャップ及び閉鎖端部キャップから離れるように軸方向に延びており、第２の封止材を保持するように適合された、外向き開口溝を画定している。
【００１０】
又、好ましい実施形態では、外側取り付け部分は、フィルタヘッドと着脱自在に係合するように適合されている。好ましくは、外側取り付け部分は、ねじ山が付けられており、フィルタヘッドとねじ係合するように適合されている。又、好ましくは、外側取り付け部分は、第３の封止材を保持するように適合された内向き開口溝を画定している。
【００１１】
実施形態によっては、開口端部キャップの中央開口は、軸方向依存部分に囲まれている。軸方向依存部分の一端部に、半径方向内向きに延びる部分が取り付けられており、この部分は、軸方向依存部分とともに階段状構成を画定している。この階段状構成は、第１の封止材を軸方向及び半径方向に支持するように適合されている。
【００１２】
実施形態によっては、第１の流れ開口は、環状に延びる部分に囲まれている。この環状に延びる部分は、開放端部キャップの中央開口を貫通して軸方向に延びており、これによって、環状に延びる部分の末端部が、開放端部キャップと閉鎖端部キャップとの間に軸方向に位置している。この環状に延びる部分は更に、第１の封止材に対する軸方向封止面及び半径方向封止面を与えるように適合されている。
【００１３】
従って、好ましい実施形態では、フィルタエレメントは、外側キャビティに入り、フィルタメディアを通って移動し、内側キャビティを通ってフィルタエレメントから出る流体を、「外側から内側」の方向に濾過するように適合されている。ベースプレートとフィルタヘッドとの間、並びに、ベースプレートと外側ハウジングとの間に配置された、これらの各種封止材は、流体がフィルタメディアをバイパスすること、並びに、流体がフィルタエレメントから漏れ出すことを防ぐように企図されている。
【００１４】
ベースプレートは更に、フィルタカートリッジを外側ハウジング内で非着脱自在に固定するように適合された保持部分を含む。好ましい実施形態では、保持部分は、開放端部キャップに突き当たって、フィルタカートリッジを保持している。
【００１５】
別の好ましい実施形態では、外側ハウジングは、ベースプレートの外側取り付け部分を部分的に包むリップ部分を画定している。従って、リップ部分は、ベースプレートを外側ハウジング内で非着脱自在に固定している。
【００１６】
ベースプレートは、外側ハウジングのリップによって固定保持されており、そのベースプレートは、フィルタカートリッジを外側ハウジング内で固定保持している。従って、フィルタエレメントは、保守又は交換を目的として、単一ユニットの形でフィルタヘッドから取り外すことが可能である。
【００１７】
別の態様では、フィルタを提供する。フィルタは、上述の第１の態様のフィルタエレメントの各種の好ましい実施形態を含み、更に、入口及び出口を有するフィルタヘッドを含む。
【００１８】
以下の詳細説明を添付図面と併せて参照することにより、本発明の他の態様、目的、及び利点がより明らかになるであろう。
【００１９】
添付図面は、本明細書に組み込まれて本明細書の一部を成すものであって、本発明の幾つかの態様を図示し、以下の説明とともに、本発明の原理を説明する役割を果たしている。
【００２０】
以下では、特定の好ましい実施形態に関して本発明を説明するが、本発明をそれらの実施形態に限定することは意図されていない。むしろ、添付の特許請求の範囲によって定義される、本発明の趣旨及び範囲に含まれる、あらゆる代替物、修正物、及び等価物を包含することが意図されている。
【図面の簡単な説明】
【００２１】
【図１】本発明の教示による、フィルタヘッド及びフィルタエレメントを有するフィルタの一実施形態の斜視図である。
【図２】図１のフィルタの部分断面図である。
【図３】図１のフィルタの部分分解図である。
【図４】複数の封止材を保持する、図１のフィルタエレメントに使用されるベースプレートの斜視図である。
【図５】図４のベースプレート及び封止材の断面図である。
【発明を実施するための形態】
【００２２】
図１及び図２は、スピンオンフィルタエレメント１０の一実施形態を示す。フィルタエレメント１０は、フィルタヘッド９０に着脱自在に取り付けられており、入口９２からフィルタエレメント１０を通って出口９４に流れる流体を濾過することに適合されている。フィルタエレメント１０の保守又は交換が必要な場合は、フィルタエレメント１０を、ねじを緩めてフィルタヘッド９０から取り外して廃棄し、次に、新しいフィルタエレメント１０をフィルタヘッド９０にねじ留めしてよい。
【００２３】
フィルタエレメント１０は、外側ハウジング１２、フィルタカートリッジ４０、及びベースプレート６０からなる。フィルタカートリッジ４０及びベースプレート６０は、外側ハウジング１２内で非着脱自在に固定されている。外側ハウジングは、閉鎖端部１４と、開放端部１６と、これらの間を軸方向に延びる略環状側壁１５とを画定している。外側ハウジング１２は、その中でベースプレート６０を固定保持するように適合されている。好ましい実施形態では、外側ハウジング１２は更に、開放端部１６の近傍にリップ２０を画定している。リップ２０は、ベースプレート６０の軸方向端部に突き当たる軸方向突当部を設けて、ベースプレート６０の外側周辺面を包むことにより、ベースプレート６０を外側ハウジング１２内で固定保持するように適合されている。
【００２４】
フィルタカートリッジ４０は、閉鎖端部キャップ４２、開放端部キャップ４４、及びフィルタメディア５４からなる。フィルタメディア５４は、環状管であって、閉鎖端部キャップ４２と開放端部キャップ４４との間を軸方向に延び、長手軸５６の周囲を長手軸５６の方向に延びて、内側キャビティ５０を自身の中に画定している。フィルタエレメント１０が組み立てられて、フィルタカートリッジ４０が外側ハウジング１２内に配置されると、フィルタメディア５４の外側周辺部と側壁１５の内側表面との間に、外側キャビティ５２が半径方向に形成される。
【００２５】
次に図３を参照すると、開放端部キャップ４４は、内側キャビティ５０と流体連通している中央開口４８を画定している。好ましい一実施形態では、中央開口４８は、軸方向依存部分４１に囲まれており、且つ／又は、軸方向依存部分４１によって画定されている。軸方向依存部分４１は、半径方向内側に延びる部分４３が取り付けられており、部分４３の端部と近接して、階段状構成を形成している。この階段状構成は、棚部４６を画定しており、棚部４６は、第１の封止材７２を軸方向及び半径方向に支持し、第１の封止材７２に対する封止面を与えており、第１の封止材７２は、ベースプレート６０との間を封止している。
【００２６】
次に図２乃至図５を参照して、ベースプレート６０の詳細構造を説明する。ベースプレート６０は、一体構造である。一体構造とは、１片の材料から作られた構造を意味するものとする。ベースプレート６０のような一体構造を有するボディは、典型的には、１片の好適な材料からモールド又は機械加工によって作られる。ベースプレート６０は更に、好適な剛性材料から作られ、例えば、剛性金属やプラスチックなどから作られ、これらに限定されない。
【００２７】
この実施形態では、ベースプレート６０は、一体構造を有しており、開放端部キャップ４４から完全に独立している。独立している、とは、この文脈では、２つの別々の構成要素を、互いから非破壊的に取り外すことが可能であることを意味するものとする。非破壊的に取り外すことが可能である、とは、それらの構成要素同士を、どちらも全く損傷することなく、物理的に互いから分離することが可能であることを意味する。例えば、外側ハウジング１２がない場合、フィルタカートリッジ４０とベースプレート６０は、どちらの構成要素も損傷することなく、物理的に互いから分離することが可能であり、これは、図３の部分分解図に示されるとおりである。
【００２８】
ベースプレート６０は、流れ開口６２、封止材取り付け部分６６、保持部分６８、複数の入口ポート７０、及び外側取り付け部分６４からなる。ベースプレート６０は、図２、図３、及び図５に示されており、複数の封止材７２、７４、７６、及び７８を保持し、又は、これらと連係している。しかしながら、これらの封止材は、ベースプレート６０の構造とは無関係であることを理解されたい。封止材７２、７４、７６、及び７８は、概ねベースプレート６０とフィルタ１０の他の構造物との間で保持されており、ベースプレート６０とフィルタ１０の他の構造物との間の封止を与えている（これについては後で詳述する）。
【００２９】
好ましい実施形態では、流れ開口６２は、軸方向に延びる環状部分９８（図３を参照）によって与えられる。環状部分９８は、開放端部キャップ４４の中央開口４８を貫通して内側キャビティ５０の中へと軸方向に延びている。従って、環状部分９８の軸方向末端部１００が、中央キャビティの中へ軸方向に沈み込み、開放端部キャップ４４と閉鎖端部キャップ４２との間に軸方向に置かれる。第１の封止材７２は、環状部分９８の外側周辺面と開放端部キャップ４４の階段状部分４６との間の封止を与えて、流体がそれらの間をバイパスすることを防ぐ。
【００３０】
封止材取り付け部分６６は、フィルタカートリッジ４０から離れるように軸方向に延びて、半径方向外向きの第２の封止材７４に対する封止面を与える。好ましい実施形態では、封止材取り付け部分６６は、半径方向外向き開口環状溝６７を画定しており、これは、第２の封止材７４を軸方向に保持し、半径方向に支持するように適合されている。第２の封止材７４は、フィルタエレメント１０がフィルタヘッド９０に取り付けられたときに（図２を参照）、フィルタヘッド９０の半径方向内向き封止面との間の半径方向封止を形成する。
【００３１】
好ましい実施形態では、ベースプレート６０の保持部分６８が、開放端部キャップ４４の軸方向外側面４５に作用的に軸方向に突き当たる。更にベースプレート６０が外側ハウジング１２内で永続的に固定されている為、保持部分６８と開放端部キャップ４４との間の軸方向突き当たりによって、フィルタカートリッジ４０が外側ハウジング１２内で固定的且つ永続的に保持される。実施形態によっては、第１の封止材７２は、フィルタの動作時に圧縮されて、保持部分６８と開放端部キャップ４４との間の隙間４７が閉じるほどの、十分な弾力性及び柔軟性を有している。実施形態によっては、第１の封止材７８は、隙間４７が閉じることが可能であるほどの十分な弾力性及び柔軟性を有しなくてもよい。そのような実施形態では、封止材７２と階段状構成４６及び保持部分６８との軸方向突き当たりによって、フィルタカートリッジ４０が外側ハウジング１２内で永続的に固定される。
【００３２】
保持部分６８は、環状部分９８と外側取り付け部分６４との間を半径方向に延び、環状部分９８を外側取り付け部分６４と一体的につないでいる。環状部分９８は、中央ハブを形成しており、ここから保持部分６８が半径方向外向きに、スポーク状のパターンで延びている。このスポーク状パターンは、複数の入口ポート７０を画定しており、入口ポート７０は、流れ矢印１１０（図２）で示されるように、入口流体が入口９２から外側キャビティ５２に流れることを可能にする流路を画定している。図示された実施形態では、流体がフィルタの入口側と出口側との間をバイパスする望ましくない事態を防ぐ為に、ベースプレート６０がフィルタカートリッジ４０を、そして特に開放端部キャップ４４を、封止しなければならない。
【００３３】
外側取り付け部分６４は、フィルタヘッド９０と着脱自在に係合するように適合されている。好ましい実施形態では、外側取り付け部分６４は、フィルタヘッド９０とねじ係合するように適合されたねじ山付き領域を画定している。しかしながら、他の着脱自在に係合可能な構造も考えられており、例えば、留め具や、フィルタヘッド９０とインタロックするように適合されたインタロック形式も考えられている。外側取り付け部分６４はまた、半径方向内向き開口溝６９を画定しており、これは第３の封止材７６を保持する。この第３の封止材７６は、半径方向内向きに延びており、フィルタヘッド９０の、半径方向外向きの封止面に対して半径方向に封止する。第３の封止材７６は、入口流体がフィルタヘッド９０と外側取り付け部分６４との間を流れて漏れることを防ぐ。
【００３４】
フィルタエレメント１０がフィルタヘッド９０に取り付けられると、流れ開口６２は、フィルタメディア５４の内側キャビティ５０と作用的流体連通し、且つ、フィルタヘッド９０内の出口９４と作用的流体連通する。この流路は、フィルタエレメント１０及びフィルタヘッド９０の出口側を画定している。入口ポート７０は、外側キャビティ５２及び入口９２と作用的流体連通している。この流路は、フィルタエレメント１０及びフィルタヘッド９０の入口側を画定している。従って、入口流れ１１０は、入口ポート７０を通り、概ね第２の封止材７４と第３の封止材７６との間を流れる。
【００３５】
従って、図示された実施形態では、フィルタカートリッジ４０は、流体が半径方向の外側から内側に流れる際に流体を濾過するように適合されている。他の実施形態では、フィルタカートリッジは、流体を内側から外側の方向に濾過するように適合されてよい。そのような代替実施形態では、流れ開口６２は、入口と作用的流体連通するように構成されることになり、入口ポート７０は、出口と作用的流体連通するように構成されることになる。
【００３６】
従って、第１及び第２の封止材７２、７４は、フィルタの入口側（入口９４、入口ポート７０、及び外側キャビティ５２を含む）と、フィルタの出口側（内側キャビティ５０、流れ開口６２、及び出口６４を含む）との間の流体連通を阻止することを助ける。第３の封止材７６は、フィルタの入口側と外側ハウジング１２の外側との間の流体連通を阻止することを助ける。
【００３７】
任意選択で、第４の封止材７８が、側壁１５と、外側取り付け部分６４の外側周辺面との間に保持されてもよい。この封止材７８は、フィルタエレメントの入口側と、外側ハウジング１２の外側との間の流体連通を阻止する。
【００３８】
本明細書に開示の各種封止材は、円形又は矩形の断面外形を有するＯリング式封止材であることが好ましいが、他の好適な形式の封止材（例えば、シェブロン形状の封止材やワイパ封止材）も考えられている。
【００３９】
本明細書で引用した、刊行物、特許出願、および特許を含む文献はすべて、各文献が個々に具体的に示される形で参照によって本明細書に組み込まれ、且つ、各文献の全体が本明細書に記述されているのと同等程度に、参照により本明細書に組み込まれている。
【００４０】
本発明を説明する文脈における（特に、以下の特許請求の範囲の文脈における）「ａ」、「ａｎ」、及び「ｔｈｅ」の各語句、並びに同様の指示語の使用は、本明細書中で特に指摘したり、明らかに文脈と矛盾したりしない限り、単数及び複数の両方を包含するものとして解釈されるべきである。「備える（ｃｏｍｐｒｉｓｉｎｇ）」、「有する（ｈａｖｉｎｇ）」、「含む（ｉｎｃｌｕｄｉｎｇ）」、および「包含する（ｃｏｎｔａｉｎｉｎｇ）」の各語句は、特に断らない限り、オープンエンドターム（即ち、「〜を含むが、これに限定されない」という意味）として解釈されるべきである。本明細書中の数値範囲の具陳は、本明細書中で特に指摘しない限り、単にその範囲内に該当する各値を個々に参照する為の略記法としての役割を果たすことのみを意図しており、各値は、本明細書中で個々に列挙されたかのように、本明細書に組み込まれている。本明細書中で説明される全ての方法は、本明細書中で特に指摘されたり、明らかに文脈と矛盾したりしない限り、任意の好適な順序で実施されてよい。本明細書中で与えられるあらゆる例、又は例示的言い回し（例えば、「など（ｓｕｃｈ  ａｓ）」は、特に主張されない限り、単に本発明をより明快にすることだけを意図したものであり、本発明の範囲を限定するものではない。本明細書中の如何なる言い回しも、特許請求されていない任意の要素を、本発明の実施に不可欠な要素として示すものとして解釈されてはならない。
【００４１】
本明細書においては、本発明を実施する為の、本発明者らが知っている最良の形態を含む、本発明の好ましい実施形態を説明している。当業者であれば、前述の説明を読むことにより、これらの好ましい実施形態の変形形態が明らかになるであろう。本発明者らは、当業者がそのような変形形態を適宜採用することを想定しており、本明細書において具体的に説明されたもの以外の方法で本発明が実施されることを企図している。従って、本発明は、準拠法によって許可されているとおり、本明細書に添付された特許請求の範囲に記載されている内容のあらゆる修正及び均等物を包含する。更に、本明細書中で特に指摘したり、明らかに文脈と矛盾したりしない限り、好ましい実施形態のあらゆる可能な変形形態における上述の要素のあらゆる組み合わせが本発明に包含される。
【図１】
2014527464.tif 000003
【図２】
2014527464.tif 000004
【図３】
2014527464.tif 000005
【図４】
2014527464.tif 000006
【図５】
2014527464.tif 000007
【国際調査報告】
2014527464.tif 000008
2014527464.tif 000009